(57)【要約】      （修正有）【課題】ずれ上がりや、ずれ下がりがなく、かつ、デザイン的にも見た目がよい装身用多機能バンド、特にヘアーバンドを提供する。【解決手段】中央部が幅広でありその両端に向かって次第に幅狭となる素材を１８０度ひねってその両端を結合してなるメビウスリング構造を有する装身用多機能バンド。【選択図】図１
0003117458.tif 000002
【実用新案登録請求の範囲】
【請求項１】
中央部が幅広でその両端が幅狭である素材を１８０度ひねってその両端を結合してなるメビウスリング構造を有する装身用多機能バンド。
【請求項２】
素材が伸縮性である請求項１に記載の装身用多機能バンド。
【請求項３】
周縁部に留め紐を有する請求項１又は２に記載の装身用多機能バンド。
【請求項４】
ヘアーバンドである請求項１乃至３のいずれかに記載の装身用多機能バンド。
【考案の詳細な説明】
【技術分野】
【０００１】
本考案は、運動等をしたとき、あるいは長期使用により素材が劣化した場合でも、頭部にしっかり固定され、ずれ上がった、ずれ落ちたりせず、かつ、意匠的にも優れた装身用多機能バンド、特にヘアーバンドに関する。
【背景技術】
【０００２】
ヘアーバンドとしては、プラスチック等からなる馬蹄形のヘアーバンドや、帯状の布地や毛糸等の伸縮性素材からなる鉢巻状のヘアーバンドなど様々なものが知られている。
従来のヘアーバンド、特に鉢巻状のヘアーバンドの多くは、布地模様等の素材や、あるいはデザインを重視するだけであって、構造的には長尺の伸縮性素材をリング状にしただけのものであった。
ところが、これらヘアーバンドは、伸縮性の素材を使用しているものの、運動をしたときには、髪型によっては頭の上方に競り上がって、結果的に頭部から脱落してしまったり、あるいは長年の使用によって素材の伸縮性が劣化してくると、頭部からずれ落ちくるなどの問題点があった。
【考案の開示】
【考案が解決しようとする課題】
【０００３】
本考案の目的は、これら従来品の欠点を解決すること、より具体的には、頭部に確実に固定され、運動に対してもバンドが頭頂部にずれ上がったりすることがなく、また、長期の使用によって素材の伸縮性が多少劣化した場合でも、頭部からずれ落ちてこない、頭部にしっかり固定できるヘアーバンド等の装身用多機能バンドを提供することにある。
【課題を解決するための手段】
【０００４】
本考案者は、ヘアーバンド等のずれ防止について鋭意研究を行った結果、伸縮性生地等の素材をメビウスリング構造とすることによってこれら問題点が解消されることを見出し、本考案を完成するに到ったものである。
即ち、本考案の装身用多機能バンドは、以下のとおりである。
１．中央部が幅広でその両端が幅狭である素材を１８０度ひねってその両端を結合してなるメビウスリング構造を有する装身用多機能バンド。
２．素材が伸縮性である上記１に記載の装身用多機能バンド。
３．周縁部に留め紐を有する上記１又は２に記載の装身用多機能バンド。
４．ヘアーバンドである上記１乃至３のいずれかに記載の装身用多機能バンド。
【考案の効果】
【０００５】
本考案の装身用多機能バンド、特にヘアーバンドは、上記のごとき構造を有し、メビウスリングを構成するための捻り部を有するので次のような効果がある。
従来の単なるリング状のヘアーバンドの把持力は、生地素材の長手方向（頭部に関していえば、頭部の円周方向）に対してのみに作用するだけであった。それゆえに、激しい運動をしたとき、あるいはボリュームのある髪型の人が着用した場合には、頭頂部に競り上がってしまうという問題点があった。また、長年の使用によって生地素材の伸縮力が劣化した場合にはずれ落ちてしまうという欠点があった。
一方、本考案の装身用多機能バンドはメビウスリング構造を有するので、頭部に対する把持力はメビウスリング方向に作用する、即ち額部分に位置する捻り部分は常に耳側（下方向）に引っ張られる状態にあるので、従来の鉢巻状ヘアーバンドに比べて、その把持力は格段に向上する。特に、この効果は伸縮性の素材を用いた場合に顕著である。したがって、運動に対しても頭部にしっかり固定させることができ、バンドが競りあがって頭部から脱落したりすることがない。また、長年の使用によって素材の伸縮力が劣化した場合にも、簡単にはずれ落ちることがない。また、伸縮性のない素材、例えば通常のメリヤス等の生地素材を使用した場合でも、極端に激しい動きをしない限り脱落することがない。
また、本考案の装身用多機能バンドは、捻れた幅狭部を額側にして装着するので、捻り部がアクセントとなり、意匠性にも優れている。
【考案を実施するための最良の形態】
【０００６】
本明細書で用いる用語の意味は以下のとおりである。
「装身用多機能バンド」とは、装身用の多機能バンドであり、具体的にはヘアーバンド、ネックバンドを意味する。本考案の装身用多機能バンド、特にヘアーバンドは、髪の毛のバラつき防止のための日常的あるいは運動時における使用は勿論のこと、おしゃれを目的としたファッション用としての使用、防寒具としての使用など多目的に使用することができる。また、ネックバンドとして使用するときは、おしゃれを目的としたファッション用として、あるいは首部の防寒具としても使用が可能である。このように本考案の多機能バンドは、ヘアーバンドとして使用する際には、ファッション的な装身具としての役割の他、髪の毛のバラつきを防止する機能、防寒等の機能を併せ持つものである。
【０００７】
「メビウスリング」とは、周知のとおり表面と裏面とが交差している輪であり、テープやシート類を１８０度ひねってその両端をつなぐことによって容易に作ることができる。それらテープやシートの表面から線を描いていくと表裏両方ともに線が描ける（所謂一筆書きが可能である）ことが知られている。したがって、本考案における布地等の素材は１本の連続した輪を構成することになる。
【０００８】
「捻り部」とは、メビウスリング構造とするために１８０度捻った幅狭の部分をいう。
【０００９】
「素材」は、本考案のバンドを作るための生地であり、特に布地等に限定されるものではない。素材は、通常の編布、織布、タオル地、不織布等の布、あるいはビニール素材であってもよい。材質は、木綿、毛糸の他、ナイロン、ビニロン、ウレタン、ポリエステル繊維等のプラスチック繊維であってもよい。
好ましくは、伸縮性ウレタン繊維等の伸縮性繊維から構成される伸縮性の布地（好ましくは一方向性伸縮性布地）、ニット等の編布からなる伸縮性布地、毛糸編み物、非伸縮性の布地に糸状又は紐状のゴム材質（例えば、天然ゴム糸、合成ゴム糸、ウレタンゴム糸）を織り込んだ一方向性伸縮性布地である。ウレタンゴム糸等の伸縮性繊維は、少なくとも周方向に織り込んで、あるいは編み込んであればよい。
これら布地素材は、２枚以上の布地を重ね合わせてなる積層布地素材であってもよい。表地と異なるデザインまたは素材からなる裏地を使用した場合には、本考案の装身用多機能バンドを折り返して使用するとき、表地とは異なった裏地が見えるので、意匠的にも効果的である。
【００１０】
「中央部が幅広でその両端が幅狭である素材（１）」とは、中央部が幅広であり、かつ捻り部を構成する両端部が幅狭であれば特に制限されるものではない。具体的には、図１の（イ）、（ロ）、（ハ）又は（ニ）に例示するような両端が幅狭となった略逆三角形または長方形、台形である。いずれの場合も、中央部（２）は、後頭部を包み込むためのものである故、幅広な構造とする。両端部（４）（４’）は、最終的に接合されてメビウスリングの捻り部をとなる部分であって、該両端部（４）（４’）は中央部（２）に比べて幅狭（３）（３’）とする。
【００１１】
「素材（イ）」は、１つの底辺部（５）と他方の底辺部（６）（６’）からなり、中央部（２）が幅広で、両端は幅狭（３）（３’）となる。幅広部から幅狭部に向かって漸次、直線的又は曲線的に幅を狭くすれば良い。逆三角形シートの両端（４）（４’）を垂直にカットすることによって作ることができる。このとき、下方の底辺部（６）（６’）を直線とせず、該底辺部（６）の中央部を最大幅広として両端に向かって弧を描くように曲線的に徐々に幅狭としてもよい。
「素材（ロ）」は、メビウスリング構造とするための捻りを容易にするために、下方の底辺部（６）（６’）をその両端部（４）（４’）から中央部（２）に向かって両端部（４）（４’）のカット線と垂直になるように１ｃｍ乃至５ｃｍほどの切込み（７）（７’）を入れたものである。この切込み（７）（７’）は、タオル地等の厚手の布地素材を用いるときに、捻りが容易となって有効である。
「素材（ハ）」は、より緩やかな２等底辺部（５）（５’）と２等辺部（６）（６’）からなる変形菱形であり、中央部（２）が幅広で、両端（４）（４’）に向かって漸次、直線的又は曲線的に幅狭（３）（３’）となる菱形シートの両端（４）（４’）を垂直にカットしてなるシート（六角形）であり、好ましくは、上半分を構成する三角形部分より下半分を構成する三角形部分の高さの方が高く、より逆三角形に近い構造の菱形シートが好ましい。
「素材（ニ）」は、素材（イ）の下部頂点部を、対向する底辺部（６）（６’）に平行にカットして角を削った例である。
【００１２】
これら素材の中央部（２）の幅広部の幅は、大人と子供で異なるが、頭部を覆うのに十分な幅、具体的には５ｃｍ乃至４０ｃｍ、好ましくは８乃至３０ｃｍである。その両端（４）（４’）の幅狭部の幅は、メビウスリングを構成するのに適し幅であれば、特に制限されるものではなく、２ｃｍ乃至３８ｃｍ、好ましくは４ｃｍ乃至１５ｃｍである。周方向に２つに折り曲げて使用する場合は、幅広部、幅狭部を共にやや幅広にしておけばよい。ただし、如何なる場合も、幅狭部の幅は幅広部の幅より少なくとも１ｃｍ以上狭くなくてはならない。
これら素材の一方の端部から他方の端部までの長さは、大人と子供で異なるが、自然状態（伸ばしていない状態）で２０ｃｍ乃至８５ｃｍ、好ましくは３５ｃｍ乃至６５ｃｍである。本考案のバンドは８の字状に折り畳んで２重構造リングの状態でも使用することができる。この場合、素材の好ましい長さは４０ｃｍ乃至１２０ｃｍである。
「留め紐」は、所望により装身用多機能バンドを頭部により確実に固定するときに採用されるものであり、好適には伸縮性のゴム紐であるが、特に限定されるものではなく、通常の布紐であってもよい。布紐を用いた場合は、キャップを着用してからその紐を結べばよい。ゴム紐は、平ゴムをバンド周縁部に縫い付けてもよいし、下記紐通しに通して使用してもよい。これによって、頭部への装着が更に安定し、装身用多機能バンドが頭頂部にずれ上がったり、あるいは下方にずれ落ちてくるのをより一層確実に阻止することが出来る。
【００１３】
素材への留め紐の取り付けについては、素材（イ）、（ロ）、（ハ）、（ニ）の周縁部、即ち（５）、（５’）、（６）、（６’）部に沿って「紐通し」を設け、そこにゴム紐を通してもよいし、１本乃至複数本のゴム紐をミシン等を用いて素材の周縁部に直接縫い込んでもよい。「紐通し」は、素材周縁部を袋状に折り返して縫合又は接着剤を用いて接着することにより、また素材がプラスチックである場合にはヒートシール（熱溶着）等の公知又は周知の接合手段を用いることによって容易に作ることができる。
本考案の装身用多機能バンド（１）は、両端部（４）（４’）を捻って接合してなるものであるが、該捻り部に装飾用のリボンや、該捻り部にリング状に巻きつけたリボンを付けておいてもよい。
また、捻り部が左右にずれないように、幅狭となった捻り部を適当な手段（縫合、接着、ボタン止め、ホック止め等）によって固定しておいてもよい。
本考案の装身用多機能バンドは、日常生活において、ファッション用として普通に使用する他、エステサロン、ジム、プール、浴場等においても毛髪を一時的に固定する際に使用することができる。
なお、素材の接合は、結果的にメビウスリングを構成すればよいのであって、必ずしも幅狭部分で接合する必要はなく、幅広部分、あるいはその他の部分で接合してもよい。幅狭部分以外で接合されたキャップも本考案に包含される。
【００１４】
本考案の装身用多機能バンドは、例えば、以下のようにして製造することができる。
１．上記の寸法条件を満たすように裁断された細長の逆三角形、菱形乃至台形の素材を用意する。素材は、特に制限はないが、好ましくは伸縮性の布地である。伸縮性布地は、それ自体伸縮性の布地であってもよいし、あるいは編布や織布等からなる普通の素材にゴム紐の伸縮性素材を組み込んだものであってもよい。
２．留め紐を付ける場合は、接合のための両端部を除いて、長尺の素材の周縁を折り返して公知乃至周知の接合手段（例えば、縫合、接着剤を用いた接着、ナイロン繊維等のプラスチック繊維の場合には熱溶着でもよい。）によって接合することによって紐通しを作る。なお、このとき紐通しを作るかわりに、平ゴム紐をその周縁部に縫い付けるか又は接着剤で接着しておいてもよい。
３．必要により周縁部に紐通しがつくられた素材を１８０度ひねって、その両端部を公知乃至周知の接合手段（例えば、縫合、接着剤を用いた接着、プラスチックの場合には熱溶着でもよい。）によって接合してメビウスリング構造とする。
４．必要により上記紐通しにゴム紐を通して、頭部に固定するのに適した長さでその両端を結ぶ。
本考案の装身用多機能バンド、特にヘアーバンドは、髪の毛のバラつき防止のための日常的あるいは運動時における使用は勿論のこと、おしゃれを目的としたファッション用としての使用、防寒具としての使用など多目的に使用することができる。また、ネックバンドとして使用するときは、おしゃれを目的としたファッション用として、あるいは首部の防寒具としても使用が可能である。更に、寒さの厳しいとき２つ折りにして使用することも可能である。
以下、実施例をもって詳細に説明するが、本考案はこれら実施例によって限定されるものではない。
【実施例１】
【００１５】
図１（イ）に示すような両端がカットされた細長のナイロン織布からなる生地素材を裁断してなる略２等辺三角形状の素材（１）を用意した。該素材の底辺（５）は６５ｃｍであり、中央部（幅広部）（２）の高さは２０ｃｍ、両端（４）（４’）のカット部（幅狭部）の高さは６ｃｍである。底辺部（５）と２等辺部（６）（６’）に平ゴムを縫い付けた。次いで、該シートを１８０度捻ってその両端部（４）（４’）を縫い合わせてメビウスリング構造を有する装身用多機能バンド（図２参照）を作った。
【実施例２】
【００１６】
毛糸で編んだ生地素材を用いて図１（ロ）に示すような装身用多機能バンドを作った。素材の寸法は、底辺（５）が６０ｃｍであり、中央部（幅広部）（２）の高さが２８ｃｍ、両端（４）（４’）のカット部（幅狭部）の高さが１０ｃｍである。捻りを容易にするため端部から５ｃｍほど底辺に平行となる切込み（７）（７’）を形成するように編んだ。中央部の高さが２８ｃｍあるので、ロングヘアーの髪型にも十分対応できた。
【００１７】
本考案の装身用多機能バンドは、捻り部を有する構造なので、前述のとおり、次のような効果がある。
１．後頭部及び側頭部のみをバンドで実質的に覆い、頭頂部は開口構造となっているので圧迫感もなく、極めて快適なものである。
２．本考案の装身用多機能バンドはメビウスリング構造を有するので、運動をした場合にも、バンドが頭頂部側にずれ上がったりすることがなく、また素材が長年の使用により多少劣化した場合でも、ずれ落ちたりすることがない。
３．本考案の装身用多機能バンドは、構造もシンプルであり、捻り部がアクセントとなり、ファッション性にも優れている。
このように本考案の装身用多機能バンドは構造も簡単であり、製造も容易で安価なことから、日常の外出用として、またファッション用としてのみならずエステサロン、ジム、ホテル、旅館等においても大いにその利用が期待される。
【図面の簡単な説明】
【００１８】
【図１】メビウスリング構造を有する装身用多機能バンドを作るための素材（イ）、（ロ）（ハ）及び（ニ）を示した説明図である。
【図２】メビウスリング構造を有する装身用多機能バンドを示した説明図である。ある。
【符号の説明】
【００１９】
１        装身用多機能バンドを作るための両端がカットされた素材
２        中央部（幅広部）
３、３’  両端の幅狭部
４、４’  両端部
５        底辺部
６，６’  ２等辺部
７、７’  切込み部
点線      紐通し部
【図１】
0003117458.tif 000003
【図２】
0003117458.tif 000004